(57)【要約】【課題】筐体の剛性を高めることが可能な電子機器を提供すること。【解決手段】電子機器１は、パームレスト２１を有した筐体５と、パームレスト２１の内面に設けられたハニカムリブ４１とを具備する。【選択図】図２
2011248412.tif 000002
【特許請求の範囲】
【請求項１】
第１端部と、第２端部とを有した筐体と、
前記第２端部よりも前記第１端部の近くに偏ったタッチパッドと、
前記第１端部と前記タッチパッドとの間に設けられた第１パームレストと、
前記第２端部と前記タッチパッドとの間に設けられた第２パームレストと、
前記第１パームレスト及び前記第２パームレストの内面に設けられたハニカムリブと、
前記第２パームレストの内面に設けられたストレートリブと、
を具備した電子機器。
【請求項２】
請求項１の記載において、
前記ストレートリブは、前記第１パームレストから前記第２パームレストに向かう第１方向に対して略直交した第２方向に延びた電子機器。
【請求項３】
請求項２の記載において、
前記筐体は、当該筐体の内側に窪んで当該筐体内に立壁を形成したキーボード取付部を有し、前記立壁は、前記第１方向に延びた電子機器。
【請求項４】
請求項３の記載において、
前記ストレートリブは、前記立壁に接続された電子機器。
【請求項５】
請求項４の記載において、
前記筐体に収容され、スピンドル部を有したユニットを備え、
前記ストレートリブは、前記スピンドル部に面した電子機器。
【請求項６】
請求項５の記載において、
前記立壁は、前記スピンドル部に面した電子機器。
【請求項７】
請求項６の記載において、
前記ストレートリブと前記立壁との接続部は、前記スピンドル部に面した電子機器。
【請求項８】
請求項３または請求項７の記載において、
前記キーボード取付部は、前記ストレートリブと略同じ方向に延びた他のストレートリブを有した電子機器。
【請求項９】
請求項１または請求項８の記載において、
前記筐体に収容され、前記第１パームレストの内面に面した冷却ファンを備えた電子機器。
【請求項１０】
請求項１または請求項９の記載において、
前記筐体に収容され、前記第２パームレストの内面に面したカードスロットを備え、
前記ハニカムリブは、前記カードスロットを避けて設けられた電子機器。
【請求項１１】
パームレストを有した筐体と、
前記パームレストの内面に設けられたハニカムリブと、
を具備した電子機器。
【発明の詳細な説明】
【技術分野】
【０００１】
本発明の実施形態は、パームレストを備えた電子機器に関する。
【背景技術】
【０００２】
近年、例えばノートブック型パーソナルコンピュータ（以下ノートＰＣ）のような電子機器の軽量化及び薄型化が進んでいる。これに伴い、電子機器の筐体の薄肉化が進んでいる。
【先行技術文献】
【特許文献】
【０００３】
【特許文献１】特開平９−６２４００号公報
【発明の概要】
【発明が解決しようとする課題】
【０００４】
薄肉化した筐体は、剛性が低下する傾向にある。
【０００５】
本発明の目的は、筐体の剛性を高めることが可能な電子機器を提供することである。
【課題を解決するための手段】
【０００６】
実施形態によれば、電子機器は、パームレストを有した筐体と、前記パームレストの内面に設けられたハニカムリブとを具備する。
【図面の簡単な説明】
【０００７】
【図１】１つの実施形態に係る電子機器の一例を示す斜視図である。
【図２】図１中に示された電子機器の筐体カバー内面の一例を示す斜視図である。
【図３】図１中に示された電子機器の筐体カバー内面の一例を示す平面図である。
【図４】図３中に示された筐体カバーの一例のＦ４−Ｆ４線に沿う断面図である。
【図５】図３中に示された筐体カバーの一例のＦ５−Ｆ５線に沿う断面図である。
【図６】図３中に示された筐体カバーの一例のＦ６−Ｆ６線に沿う断面図である。
【図７】図３中に示された筐体カバーの第２パームレストの一例を示す平面図である。
【図８】図２中に示された筐体カバーの一例のＦ８線で囲まれた領域の斜視図である。
【図９】図２中に示された筐体カバーの一例のＦ９線で囲まれた領域の斜視図である。
【発明を実施するための形態】
【０００８】
以下、実施の形態について、図面を参照して説明する。  
図１乃至図９は、１つの実施形態に係る電子機器１を開示している。電子機器１は、例えばノートＰＣである。なお本実施形態が適用可能な電子機器は、上記に限定されるものではない。本実施形態は、例えばＰＤＡ(Personal digital Assistant)やゲーム機などを含む種々の電子機器に広く適用可能である。
【０００９】
図１に示すように、電子機器１は、本体ユニット２と、表示ユニット３と、ヒンジ４ａ，４ｂとを備えている。本体ユニット２は、メインボードを搭載した電子機器本体である。本体ユニット２は、筐体５を備えている。筐体５は、上壁６、下壁７、及び周壁８を有し、扁平な箱状に形成されている。
【００１０】
下壁７は、電子機器１を机上に置いた時に、その机上面に向かい合う。下壁７は、机上面に対して略平行になる。上壁６は、下壁７との間に空間を空けて、下壁７と略平行（すなわち略水平）に広がる。上壁６には、キーボード９が取り付けられている。周壁８は、下壁７に対して起立し、下壁７の周縁部と上壁６の周縁部との間を繋いでいる。
【００１１】
筐体５は、筐体ベース１１と、筐体カバー１２とを有する。筐体ベース１１は、下壁７と、周壁８の一部とを含む。筐体カバー１２は、上壁６と、周壁８の一部とを含む。筐体カバー１２が筐体ベース１１に組み合わされることで、筐体５が形成されている。
【００１２】
筐体５は、表示ユニット３が回動可能に連結された後端部５ａと、この後端部５ａとは反対側に位置した前端部５ｂとを有する。周壁８は、前壁８ａ、後壁８ｂ、左側壁８ｃ、及び右側壁８ｄを有する。前壁８ａは、前端部５ｂにおいて筐体５の幅方向（左右方向）に延びている。後壁８ｂは、後端部５ａにおいて筐体５の幅方向に延びている。左側壁８ｃ及び右側壁８ｄは、それぞれ筐体５の奥行方向（前後方向）に延びて、前壁８ａの端部と後壁８ｂの端部とを繋いでいる。
【００１３】
表示ユニット３は、ヒンジ４ａ，４ｂによって、本体ユニット２の後端部５ａに回動可能（開閉可能）に連結されている。表示ユニット３は、本体ユニット２を上方から覆うように倒された閉じ位置と、本体ユニット２に対して起こされた開き位置との間で回動可能である。
【００１４】
図１に示すように、表示ユニット３は、表示筐体１４と、この表示筐体１４に収容された表示パネル１５とを備えている。表示パネル１５の表示画面１５ａは、表示筐体１４の前壁に設けられた開口部１４ａを通じて外部に露出可能になっている。
【００１５】
図１乃至図３に示すように、上壁６は、キーボード９が取り付けられるキーボード取付部１７、タッチパッドユニット１８が取り付けられるタッチパッド取付部１９、第１パームレスト２１、及び第２パームレスト２２を有する。キーボード取付部１７は、前壁８ａ及び後壁８ｂと略平行に筐体５の幅方向に延びており、左側壁８ｃの近傍から右側壁８ｄの近傍に亘っている。
【００１６】
キーボード取付部１７は、第１パームレスト２１及び第２パームレスト２２に対して筐体５の内側に窪んでおり、その窪みを利用してキーボード９が載置される。これにより、キーボード取付部１７に取り付けられたキーボード９の上面（例えばキートップ）は、第１パームレスト２１の上面及び第２パームレスト２２の上面と略同じ高さか少し高くに位置する。
【００１７】
タッチパッド取付部１９には、タッチパッドユニット１８が取り付けられる。タッチパッドユニット１８は、ポインティングデバイスであるタッチパッド２４と、例えば一対のボタン２５ａ，２５ｂとを有する。タッチパッド取付部１９は、キーボード取付部１７と前壁８ａとの間に設けられている。
【００１８】
タッチパッド取付部１９は、例えばキーボード取付部１７と略同様に、第１パームレスト２１及び第２パームレスト２２に対して筐体５の内側に窪んでおり、その窪みを利用してタッチパッドユニット１８が載置される。これにより、タッチパッド取付部１９に取り付けられたタッチパッドユニット１８の上面は、第１パームレスト２１の上面及び第２パームレスト２２の上面と略同じ高さに位置する。
【００１９】
なお上記構成に代えて、タッチパッド取付部１９は、第１パームレスト２１や第２パームレスト２２に対して窪まずに、筐体５の内側に配置されたタッチパッドユニット１８を露出させる開口部を有してもよい。この場合、タッチパッドユニット１８は、筐体５の内側からタッチパッド取付部１９に取り付けられる。
【００２０】
図１に示すように、筐体５は、それぞれ当該筐体５の長手方向（幅方向）の端部である第１端部２６と、第２端部２７とを有する。第１端部２６は、例えば左側壁８ｃを含む。第２端部２７は、例えば右側壁８ｄを含む。キーボード９のホームポジションセンターＣは、第２端部２７よりも第１端部２６の近くに偏っている。なお、「ホームポジション」とは、ＪＩＳ系配列やＡＳＣＩＩ配列のキーボードで、ユーザーの左右両手の人差し指が基準キーであるＦキー２８とＪキー２９とに添えられる状態を指す。「ホームポジションセンター」とは、Ｆキー２７とＪキー２８との間の中央部をキーボード１０の短手方向に横断する線を指す。
【００２１】
タッチパッド取付部１９は、キーボード９のホームポジションセンターＣに対応して設けられている。つまり、キーボード９のホームポジションセンターＣの延長線上に、タッチパッド２４の中央部が位置する。つまり、タッチパッド２４は、筐体５の中央部（ハウジングセンター）から偏っており、第２端部２７よりも第１端部２６の近くに位置する。
【００２２】
第１パームレスト２１及び第２パームレスト２２は、例えばキーボード９の操作時にユーザーの手が置かれる。第１パームレスト２１及び第２パームレスト２２は、キーボード取付部１７と前壁８ａとの間に設けられている。第１パームレスト２１は、第１端部２６とタッチパッド２４との間に亘って設けられている。第２パームレスト２２は、第２端部２７とタッチパッド２４との間に亘って設けられている。このため、第１パームレスト２１から第２パームレスト２２に向かう方向において、第２パームレスト２２の長さＬ２は、第１パームレスト２１の長さＬ１よりも大きい。
【００２３】
ここで、第１方向Ｄ１及び第２方向Ｄ２を定義しておく。第１方向Ｄ１は、第１パームレスト２１から第２パームレスト２２に向かう方向である。第２方向Ｄ２は、キーボード９からタッチパッド２４に向かう方向であり、第１方向Ｄ１に略直交する。
【００２４】
また、本明細書では、電子機器１の正規の姿勢（図１の姿勢）を基準に上下左右を定義する。そのため、図２や図３など、電子機器１を逆さまにした図を用いた説明では左右の表現が逆になっている。
【００２５】
図３及び図４に示すように、筐体５は、冷却ファン３１、及びＯＤＤ(Optical Disk Drive)ユニット３２を収容している。ＯＤＤユニット３２は、ユニット（機能ユニット）の一例である。なお「ユニット」は、例えばＨＤＤ(Hard Disk Drive)のような記憶装置やその他のユニットでもよい。ＯＤＤユニット３２の略中央部には、スピンドル部３２ａが設けられている。スピンドル部３２ａは、ＯＤＤユニット３２のなかで外部からの力や衝撃に最も弱い部分のひとつである。
【００２６】
図２及び図３に示すように、キーボード取付部１７は、例えば平板状に形成されるとともに、複数の矩形状の穴が設けられ、骨組状になっている。つまり、キーボード取付部１７は、第１方向Ｄ１に延びた複数の第１梁３４と、第２方向Ｄ２に延びた複数の第２梁３５とを有し、この第１梁３４と第２梁３５とが格子状に連結されている。
【００２７】
前述したように、キーボード取付部１７は、第１パームレスト２１及び第２パームレスト２２に対して筐体５の内側に窪んでいる。図２及び図３に示すように、キーボード取付部１７は、当該キーボード取付部１７を窪ませるために筐体５内に起立した立壁３６（第１立壁）を有する。立壁３６は、キーボード取付部１７の外縁を形成している。
【００２８】
立壁３６は、第１方向Ｄ１に延び、キーボード取付部１７の長手方向の全長に亘っている。この立壁３６は、第１方向Ｄ１に延びた梁として機能し、上壁６を補強している。立壁３６は、ＯＤＤユニット３２のスピンドル部３２ａの真上を通り、スピンドル部３２ａに面している。
【００２９】
筐体５の前壁８ａは、第１方向Ｄ１に延び、筐体５の全幅に亘っている。前壁８ａは、上壁６に対して折れ曲がり、起立している。前壁８ａは、第１方向Ｄ１に延びた梁として機能し、上壁６を補強している。
【００３０】
前述したように、タッチパッド取付部１９は、第１パームレスト２１及び第２パームレスト２２に対して筐体５の内側に窪んでいる。図２及び図３に示すように、タッチパッド取付部１９は、当該タッチパッド取付部１９を窪ませるために筐体５内に起立した立壁３８（第２立壁）を有する。立壁３８は、タッチパッド取付部１９の外縁を形成している。いくつかの立壁３８は、第２方向Ｄ２に延びている。この立壁３８は、第２方向Ｄ２に延びた梁として機能し、上壁６を補強している。
【００３１】
図２及び図３に示すように、第１パームレスト２１の内面、第２パームレスト２２の内面、及びタッチパッド取付部１９とキーボード取付部１７との間の領域３９（以下、中間領域３９）の内面には、ハニカムリブ４１が設けられている。ハニカムリブ４１は、第１リブの一例である。ハニカムリブ４１は、上壁６と一体に設けられている。ハニカムリブ４１は、筐体５の内面から筐体５内に突出したリブであり、例えば正六角形状をしたセルの集合体で形成されている。つまり、正六角形状をしたセルが隙間なく並べられている。
【００３２】
図２及び図３に示すように、ハニカムリブ４１は、第１パームレスト２１、第２パームレスト２２、及び中間領域３９において一様に設けられている。つまり、ハニカムリブ４１は、第１パームレスト２１及び第２パームレスト２２において、キーボード取付部１７と前壁８ａとの間の全域に連続して設けられている。ハニカムリブ４１は、例えばその高さを保ったまま、キーボード取付部１７の立壁３６、タッチパッド取付部１９の立壁３８、前壁８ａ、左側壁８ｃ、及び右側壁８ｄに接続している。
【００３３】
筐体カバー１２は、例えば金属材料、一例としてはマグネシウム合金をダイカスト鋳造することで形成されている。このとき、溶湯は、筐体カバー１２の後壁８ｂ側から前壁８ａ側に向けて流される。つまり溶湯は、第２方向Ｄ２に沿って流される。
【００３４】
図３に示すように、正六角形状のセルは、第２方向Ｄ２に延びた縦リブ４１ａを有する。つまり、ハニカムリブ４１は、正六角形状のセルに含まれる２つの辺を溶湯の流れ方向に沿わせている。これにより、溶湯が流れやすくなり、筐体カバー１２の鋳造性の向上が図られている。なお、筐体カバー１２は、例えば合成樹脂材料で形成されてもよい。
【００３５】
図４に示すように、第１パームレスト２１の内面には、冷却ファン３１が面している。冷却ファン３１は、例えば両面吸気タイプである。つまり冷却ファン３１は、ファンケース４３と、このファンケース４３内で回転駆動される羽根車４４とを有する。ファンケース４３は、上面４３ａ、下面４３ｂ、及び周面４３ｃを有する。
【００３６】
上面４３ａには、第１吸込口４５が設けられている。第１吸込口４５は、第１パームレスト２１に向いている。下面４３ｂには、第２吸込口４６が設けられている。第２吸込口４６は、第１吸込口４５とは反対側を向いており、例えば下壁７に吸気孔７ａに向かい合っている。周面４３ｃには、吐出口４７が設けられている。冷却ファン３１は、第１吸込口４５からも空気を吸うため、上壁６から離して配置されている。そして、この上壁６と冷却ファン３１との間の隙間を利用してハニカムリブ４１が設けられている。
【００３７】
図２及び図３に示すように、第２パームレスト２２の内面には、例えば複数のストレートリブ５１（第１ストレートリブ）が設けられている。ストレートリブ５１は、第２リブの一例である。ストレートリブ５１は、第２方向Ｄ２に延びており、キーボード取付部１７と前壁８ａとの間に亘っている。つまりストレートリブ５１は、キーボード取付部１７の立壁３６及び筐体５の前壁８ａに略直交して延びている。
【００３８】
図６に示すように、ストレートリブ５１は、例えばその高さを保ったまま、キーボード取付部１７の立壁３６及び前壁８ａにそれぞれ接続している。これにより、図３に示すように、第２パームレスト２２の周辺には、キーボード取付部１７の立壁３６、ストレートリブ５１、及び前壁８ａからなるＨ形の梁部が設けられている。換言すれば、それぞれ梁となるキーボード取付部１７の立壁３６と前壁８ａとの間に、両者を連結するストレートリブ５１が渡されている。
【００３９】
図７に示すように、複数のストレートリブ５１は、第２パームレスト２２の中央部に纏めて設けられている。このため、第２パームレスト２２は、ストレートリブ５１によって、筐体５の右側壁８ｄとストレートリブ５１との間に位置した第１領域２２ａと、タッチパッド取付部１９とストレートリブ５１との間に位置した第２領域２２ｂとに分けられている。図３に示すように、第１領域２２ａ及び第２領域２２ｂは、互いに略同じ面積である。さらに第１領域２２ａ及び第２領域２２ｂは、それぞれ第１パームレスト２１に近い面積となる。
【００４０】
第１領域２２ａ及び第２領域２２ｂの全域には、ハニカムリブ４１が設けられている。一方で、複数のストレートリブ５１の間には、ハニカムリブ４１が設けられていない。なお、複数のストレートリブ５１の間にもハニカムリブ４１を設けてもよい。
【００４１】
図５に示すように、ストレートリブ５１の高さは、例えばハニカムリブ４１の高さよりも高い。なお、ストレートリブ５１の高さは、ハニカムリブ４１の高さと略同じまたは低くてもよい。ハニカムリブ４１は、例えばその高さを保ったまま、ストレートリブ５１の側面に接続されている。
【００４２】
また図８に示すように、ストレートリブ５１の中央部は、例えばフレキシブルケーブル（図示しない）を通すために高さが低くなっている。図６に示すように、ストレートリブ５１の高さは、キーボード取付部１７の立壁３６の高さよりも低い。なお、ストレートリブ５１の高さは、立壁３６の高さと略同じまたは高くてもよい。
【００４３】
図３及び図７に示すように、ストレートリブ５１は、ＯＤＤユニット３２のスピンドル部３２ａの真上を通り、スピンドル部３２ａに面している。複数のストレートリブ５１が設けられた幅Ｗは、スピンドル部３２ａの直径Ｄと略同じである。ストレートリブ５１と立壁３６との接続部５３は、スピンドル部３２ａの真上に位置し、スピンドル部３２ａに面している。
【００４４】
図３及び図９に示すように、キーボード取付部１７の第１梁３４のなかでＯＤＤユニット３２のスピンドル部３２ａに最も近い１つの第１梁３４ａ、及びＯＤＤユニット３２の外形に沿った１つの第１梁３４ａは、他の第１梁３４ｂよりも厚く形成されている。
【００４５】
また、キーボード取付部１７の第２梁３５のなかでＯＤＤユニット３２のスピンドル部３２ａに最も近い２つの第２梁３５ａ、及びＯＤＤユニット３２の外形に沿った１つの第２梁３５ａは、他の第２梁３５ｂよりも厚く形成されている。ひとつの第２梁３５ａは、ストレートリブ５１の延長線上に設けられている。つまり、ストレートリブ５１、第２梁３５ａ、及びキーボード取付部１７の立壁３６によって、ＯＤＤユニット３２のスピンドル部３２ａに面した十字形の梁部が設けられている。これにより、ＯＤＤユニット３２のスピンドル部３２ａの周囲及び外形の周囲が補強されている。
【００４６】
図９に示すように、いくつかの第２梁３５には、ストレートリブ６１（第２ストレートリブ）が設けられている。ストレートリブ６１は、前述のストレートリブ５１と略同じ方向（第２方向Ｄ２）に延びている。
【００４７】
図７に示すように、筐体５内には、カードスロット５５が設けられている。カードスロット５５は、例えばＳＤカードスロットであるが、これ以外のカードスロットであってもよい。カードスロット５５は、第２パームレスト２２の内面に面している。カードスロット５５は、筐体の周壁８に開口した開口部５６に向かい合う。カードスロット５５には、開口部５６と通じてカードが着脱される。ハニカムリブ４１は、例えばカードスロット５５の外形に沿って、カードスロット５５を避けて設けられている。これにより、カードスロット５５は、上壁６に密着して、また上壁６との間に僅かな隙間を空けて実装可能である。
【００４８】
このような構成によれば、筐体５の薄肉化を進めるとともに、筐体５の剛性を保ったり、高めたりすることができる。つまり、本実施形態では、パームレスト２１，２２の内面にハニカムリブ４１が設けられている。これにより、筐体５が薄肉であっても、筐体５のなかでユーザーが最もよく力を加えるパームレスト２１，２２の剛性が高められており、ユーザーは違和感なく電子機器１を使用することができる。換言すれば、パームレスト２１，２２の内面にハニカムリブ４１を設けることで、筐体５の薄肉化をさらに図ることができる。
【００４９】
第１パームレスト２１よりも長い第２パームレスト２２は、第１パームレスト２１に比べて剛性が弱くなる。本実施形態では、第２パームレスト２２にストレートリブ５１が設けられている。これにより、比較的長い第２パームレスト２２の剛性が高められており、第２パームレスト２２の剛性が第１パームレスト２１の剛性に近くなっている。これにより、タッチパッド２４が偏って配置された上壁６の全体でバランスよく剛性が高められている。
【００５０】
ここで、ハニカムリブ４１は、主にねじりに対する剛性を高め、ストレートリブ５１は主に撓み（押圧方向の変形）に対する剛性を高める。このように異なる種類の複数のリブを組み合わせることで、ねじりや撓みといった種々の外力に対する耐性を高めることができる。
【００５１】
前壁８ａと略直交したストレートリブ５１が設けられることで、このストレートリブ５１と前壁８ａとが協働してＴ形の梁部を形成することができる。これにより、前壁８ａのみから成るＩ形の梁部に比べて、第２パームレスト２２周りが大きく補強される。
【００５２】
ここで、ハニカムリブ４１は、例えば当該ハニカムリブ４１の形状に対応した金型の溝に溶湯が流し込まれることで形成される。そしてそのハニカムリブ４１の形状に対応した金型の溝は、溶湯の流れ方向に対して垂直に起立している。そのため、ハニカムリブ４１を設けた筐体カバー１２は、ハニカムリブ４１が設けられていない筐体カバーに比べて鋳造性が悪くなる可能性がある。
【００５３】
一方で、本実施形態では、溶湯の流れ方向に延びたストレートリブ５１が設けられている。つまり、溶湯の一部は、上記ストレートリブ５１を通って流れることができ、金型内の流動性が高くなる。つまり、ストレートリブ５１は、流動支援のリブとしても機能する。すなわち、ストレートリブ５１を設けることで、ハニカムリブ４１が設けられた筐体カバー１２であっても、比較的良好な鋳造性を確保することができる。
【００５４】
本実施形態では、キーボード取付部１７が第１方向Ｄ１に延びた立壁３６を有し、ストレートリブ５１は、上記立壁３６に略直交する方向に延びている。つまり、互いに略直交する２つの方向にそれぞれ梁として機能する構造がある。これにより、第２パームレスト２２の剛性がより高められている。
【００５５】
本実施形態では、ストレートリブ５１がキーボード取付部１７の立壁３６に接続されている。これにより、第２パームレスト２２の周囲にＴ形の梁部、さらに言えば前壁８ａも入れてＨ形の梁部が形成されている。これにより、第２パームレスト２２の剛性がより高められている。
【００５６】
本実施形態では、キーボード取付部１７の立壁３６、ストレートリブ５１、及び前壁８ａからなるＨ形の梁部の内部、つまり立壁３６、ストレートリブ５１、及び前壁８ａによって３方から囲まれた領域にハニカムリブ４１が充填されている。これにより、立壁３６、ストレートリブ５１、及び前壁８ａは、互いに直接連結されているだけでなく、ハニカムリブ４１を介して互いに連結されている。これにより、上壁６の剛性がさらに高められている。
【００５７】
更に言えば、図３に示すように、キーボード取付部１７の立壁３６、ストレートリブ５１、前壁８ａ、及びタッチパッド取付部１９の立壁３８によって４方が囲まれた領域にハニカムリブ４１が充填されている。これにより、それぞれ梁として機能するキーボード取付部１７の立壁３６、ストレートリブ５１、前壁８ａ、及びタッチパッド取付部１９の立壁３８がハニカムリブ４１によって相互に連結されている。換言すれば、キーボード取付部１７の立壁３６、ストレートリブ５１、前壁８ａ、及びタッチパッド取付部１９の立壁３８による面状の梁部が形成されている。
【００５８】
本実施形態では、ストレートリブ５１が、ＯＤＤユニット３２のスピンドル部３２ａに面している。このため、ＯＤＤユニット３２のスピンドル部３２ａに向かい合う領域で第２パームレスト２２が撓みにくくなっている。このため、比較的脆弱なスピンドル部３２ａに外力が作用することが抑制され、電子機器１の信頼性向上が図られている。
【００５９】
本実施形態では、キーボード取付部１７の立壁３６がＯＤＤユニット３２のスピンドル部３２ａに面している。このため、ＯＤＤユニット３２のスピンドル部３２ａに向かい合う領域で第２パームレスト２２がさらに撓みにくくなっている。このため、スピンドル部３２ａに外力が作用することが抑制され、電子機器１の信頼性のさらなる向上が図られている。
【００６０】
本実施形態では、ストレートリブ５１とキーボード取付部１７の立壁３６との接続部５３が、ＯＤＤユニット３２のスピンドル部３２ａに面している。つまりそれぞれ梁として機能する２つの構造の接続部をＯＤＤユニット３２のスピンドル部３２ａに対応させている。このため、ＯＤＤユニット３２のスピンドル部３２ａに向かい合う領域で第２パームレスト２２がさらに撓みにくくなっている。
【００６１】
本実施形態では、ハニカムリブ４１は、カードスロット５５を避けて設けられている。本実施形態では、ストレートリブ５１が第２パームレスト２２に設けられているので、第２パームレスト２２の一部の領域でハニカムリブ４１を省略しても全体として十分に剛性を高めることができる。
【００６２】
本実施形態では、キーボード取付部１７がストレートリブ５１と略同じ方向に延びたストレートリブ６１を有する。これにより、キーボード取付部１７の剛性も高められている。また、キーボード取付部１７のストレートリブ６１が、第２パームレスト２２のストレートリブ５１に対する流動支援のリブとしても機能する。
【００６３】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
【００６４】
例えば、ハニカムリブ４１は、カードスロット５５に向かい合う領域にも設けられてもよい。ストレートリブ５１やキーボード取付部１７の立壁３６は、必ずしもＯＤＤユニット３２のスピンドル部３２ａに向かい合わなくてもよい。ストレートリブ５１は、キーボード取付部１７の立壁３６に接続されていなくてもよい。ストレートリブ５１は、第２方向Ｄ２に延びていてもよい。
【００６５】
本実施形態では、第１パームレスト２１の内面及び第２パームレスト２２の内面には、第１リブとして六角形状のセルが集合して形成されたハニカムリブが設けられている。これに代えて、例えば五角形状やその他の多角形状などによって格子状に形成されたリブが第１リブとして設けられてもよい。
【００６６】
本実施形態では、第２パームレスト２２の内面には、第２リブとしてストレートリブが設けられている。これに代えて、例えば円弧状や波形、その他の形状による一定距離延びたリブが第２リブとして設けられてもよい。
【符号の説明】
【００６７】
Ｄ１…第１方向、Ｄ２…第２方向、１…電子機器、５…筐体、１７…キーボード取付部、２１…第１パームレスト、２２…第２パームレスト、２４…タッチパッド、２６…第１端部、２７…第２端部、３１…冷却ファン、３２…ＯＤＤユニット、３２ａ…スピンドル部、３６…キーボード取付部の立壁、３８…タッチパッド取付部の立壁、４１…ハニカムリブ、５１…ストレートリブ、５３…接続部、５５…カードスロット。
【図１】
2011248412.tif 000003
【図２】
2011248412.tif 000004
【図３】
2011248412.tif 000005
【図４】
2011248412.tif 000006
【図５】
2011248412.tif 000007
【図６】
2011248412.tif 000008
【図７】
2011248412.tif 000009
【図８】
2011248412.tif 000010
【図９】
2011248412.tif 000011
【手続補正書】
【提出日】平成23年9月12日(2011.9.12)
【手続補正１】
【補正対象書類名】明細書
【補正対象項目名】０００６
【補正方法】変更
【補正の内容】
【０００６】
実施形態によれば、電子機器は、パームレストとキーボード取付部とを有し、タッチパッドが取り付けられた筐体と、前記パームレストの内面に設けられたハニカムリブと、前記筐体の中央部分に対して前記タッチパッドとは反対側に寄った前記キーボード取付部の領域に設けられたストレートリブと、を具備する。
【手続補正２】
【補正対象書類名】明細書
【補正対象項目名】００６６
【補正方法】変更
【補正の内容】
【００６６】
本実施形態では、第２パームレスト２２の内面には、第２リブとしてストレートリブが設けられている。これに代えて、例えば円弧状や波形、その他の形状による一定距離延びたリブが第２リブとして設けられてもよい。
以下、出願当初の特許請求の範囲に記載された電子機器を付記する。
［１］、(i)第１端部と、第２端部とを有した筐体と、(ii)前記第２端部よりも前記第１端部の近くに偏ったタッチパッドと、(iii)前記第１端部と前記タッチパッドとの間に設けられた第１パームレストと、(iv)前記第２端部と前記タッチパッドとの間に設けられた第２パームレストと、(v)前記第１パームレスト及び前記第２パームレストの内面に設けられたハニカムリブと、(vi)前記第２パームレストの内面に設けられたストレートリブと、を具備した電子機器。
［２］、［１］の記載において、前記ストレートリブは、前記第１パームレストから前記第２パームレストに向かう第１方向に対して略直交した第２方向に延びた電子機器。
［３］、［２］の記載において、前記筐体は、当該筐体の内側に窪んで当該筐体内に立壁を形成したキーボード取付部を有し、前記立壁は、前記第１方向に延びた電子機器。
［４］、［３］の記載において、前記ストレートリブは、前記立壁に接続された電子機器。
［５］、［４］の記載において、前記筐体に収容され、スピンドル部を有したユニットを備え、前記ストレートリブは、前記スピンドル部に面した電子機器。
［６］、［５］の記載において、前記立壁は、前記スピンドル部に面した電子機器。
［７］、［６］の記載において、前記ストレートリブと前記立壁との接続部は、前記スピンドル部に面した電子機器。
［８］、［３］または［７］の記載において、前記キーボード取付部は、前記ストレートリブと略同じ方向に延びた他のストレートリブを有した電子機器。
［９］、［１］または［８］の記載において、前記筐体に収容され、前記第１パームレストの内面に面した冷却ファンを備えた電子機器。
［１０］、［１］または［９］の記載において、前記筐体に収容され、前記第２パームレストの内面に面したカードスロットを備え、前記ハニカムリブは、前記カードスロットを避けて設けられた電子機器。
［１１］(i)パームレストを有した筐体と、(ii)前記パームレストの内面に設けられたハニカムリブと、を具備した電子機器。
【手続補正３】
【補正対象書類名】特許請求の範囲
【補正対象項目名】全文
【補正方法】変更
【補正の内容】
【特許請求の範囲】
【請求項１】
第１端部と、第２端部と、キーボード取付部とを有した筐体と、
前記第２端部よりも前記第１端部の近くに偏ったタッチパッドと、
前記第１端部と前記タッチパッドとの間に設けられた第１パームレストと、
前記第２端部と前記タッチパッドとの間に設けられた第２パームレストと、
前記第１パームレスト及び前記第２パームレストの内面に設けられたハニカムリブと、
前記第２パームレストの内面と、前記キーボード取付部の前記第２端部側に寄った領域とに其々設けられたストレートリブと、
を具備した電子機器。
【請求項２】
請求項１の記載において、
前記ストレートリブは、前記第１パームレストから前記第２パームレストに向かう第１方向に対して略直交した第２方向に延びた電子機器。
【請求項３】
請求項２の記載において、
前記キーボード取付部は、前記筐体の内側に窪んで当該筐体内に立壁を形成し、前記立壁は、前記第１方向に延びた電子機器。
【請求項４】
請求項３の記載において、
前記ストレートリブの一部は、前記立壁に接続された電子機器。
【請求項５】
請求項４の記載において、
前記筐体に収容され、スピンドル部を有したユニットを備え、
前記ストレートリブの一部は、前記スピンドル部に面した電子機器。
【請求項６】
請求項５の記載において、
前記立壁は、前記スピンドル部に面した電子機器。
【請求項７】
請求項６の記載において、
前記ストレートリブと前記立壁との接続部は、前記スピンドル部に面した電子機器。
【請求項８】
請求項１または請求項７の記載において、
前記筐体に収容され、前記第１パームレストの内面に面した冷却ファンを備えた電子機器。
【請求項９】
請求項１または請求項８の記載において、
前記筐体に収容され、前記第２パームレストの内面に面したカードスロットを備え、
前記ハニカムリブは、前記カードスロットを避けて設けられた電子機器。
【請求項１０】
パームレストと、キーボード取付部とを有し、タッチパッドが取り付けられた筐体と、
前記パームレストの内面に設けられたハニカムリブと、
前記筐体の中央部分に対して前記タッチパッドとは反対側に寄った前記キーボード取付部の領域に設けられたストレートリブと、
を具備した電子機器。